【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
電子写真感光体ドラムと、
電子写真感光体ドラムに帯電を行うための帯電ローラと、
電子写真感光体ドラムに残留する現像剤を除去するためのクリーニングブレードと、
電子写真感光体ドラムと帯電ローラおよびクリーニングブレードを支持するドラムフレームと、
電子写真感光体ドラムに形成された静電潜像を現像剤を用いて現像する為の現像ローラと、
現像ローラを回転可能に支持する第一のエンドカバーと第二のエンドカバーとを取り付けるための支持フレームと、
支持フレームを移動可能に保持する現像フレームと、
第一のエンドカバーを現像フレームに回動可能に固定する為の固定ピンと、
現像フレームと結合され、現像剤を収納する現像剤収納部を有する現像剤フレームと、
ドラムフレームと、現像フレームまたは現像剤フレームとをフレームの長手方向一端側で位置決め固定する第一のカバー部材と、
フレームの長手方向他端側で位置決め固定する第二のカバー部材と、
を有し、電子写真画像形成装置本体に着脱可能なプロセスカートリッジの再生産方法であって、
（ａ）プロセスカートリッジの長手方向一端側で、第一のカバーをドラムフレームと、現像フレームまたは現像剤フレームから取り外す第一のカバー取り外し工程と、
（ｂ）長手方向の他端側で、第二のカバーを取り外す第二のカバー取り外し工程と、
（ｃ）現像フレームまたは現像剤フレームとドラムフレームとを分離するフレーム分離工程と、
（ｄ）現像フレームと第一のエンドカバーとを固定ピンを引き抜くことによって分離する固定ピン引き抜き工程と、
（ｅ）第一のエンドカバーと第二のエンドカバーとを、支持フレームから取り外し、現像ローラを取り外す現像ローラ取り外し工程と、
（ｆ）現像ローラを支持フレームから取り外すことによって露出した現像剤フレームの現像剤供給口から現像剤を現像剤収納部に充填する現像剤再充填工程と、（ｇ）支持フレームを現像フレームに仮位置決めする工程と、
（ｈ）支持フレームに第一のエンドカバーと第二のエンドカバーとを取り付けて、現像ローラを回動可能に取り付ける現像ローラ取り付け工程と、
（ｉ）固定ピンを取り付けることによって、現像フレームに第一のエンドカバーを回動可能に結合する支持フレーム取り付け工程と、
（ｊ）ドラムフレームと現像フレームまたは現像剤フレームとを長手方向一端側で、第一のカバーによって位置決め固定する第一のフレーム結合工程と、
（ｋ）ドラムフレームと、現像フレームまたは現像剤フレームとを、長手方向他端側で第二のカバー部材によって位置決め固定する第二のフレーム結合工程と、を有することを特徴とするプロセスカートリッジの再生産方法。
【請求項２】
電子写真感光体ドラムと、
電子写真感光体ドラムに帯電を行うための帯電ローラと、
電子写真感光体ドラムに残留する現像剤Ｔを除去するためのクリーニングブレードと、
電子写真感光体ドラムと帯電ローラおよびクリーニングプレート１を支持するドラムフレームと、
電子写真感光体ドラムに形成された静電潜像を現像剤Ｔを用いて現像する為の現像ローラと、
現像ローラを回転可能に支持する第一のエンドカバーと第二のエンドカバーとを取り付けるための支持フレーム０と、
支持フレームを移動可能に保持する現像フレームと、
第一のエンドカバーを現像フレームに回動可能に固定する為の固定ピンと、
現像フレームと結合され、現像剤Ｔを収納する現像剤収納部を有する現像剤フレームと、
ドラムフレームと、現像フレームまたは現像剤フレームとを長手方向一端側で位置決め固定する第一のカバー部材と、
フレームの長手方向他端側で位置決め固定する第二のカバー部材と、
を有し、電子写真画像形成装置本体に着脱可能なプロセスカートリッジの再生産方法であって、
（ａ）プロセスカートリッジの長手方向一端側で、第一のカバー部材をドラムフレームと、現像フレームまたは現像剤フレームから取り外す第一のカバー取り外し工程と、
（ｂ）長手方向の他端側で、第二のカバーを取り外す第二のカバー取り外し工程と、
（ｃ）現像フレームまたは現像剤フレームとドラムフレームとを分離するフレーム分離工程と、
（ｄ）現像フレームと第一のエンドカバーとを固定ピンを引き抜くことによって分離する固定ピン引き抜き工程と、
（ｅ）第一のエンドカバーと第二のエンドカバーとを、支持フレームから取り外し、現像ローラを取り外す現像ローラ取り外し工程と、
（ｆ）現像ローラを支持フレームから取り外すことによって露出した現像剤フレームの現像剤供給口から現像剤Ｔを現像剤収納部に充填する現像剤再充填工程と、
（ｇ）支持フレームを現像フレームに仮位置決めする工程と、
（ｈ）支持フレームに第一のエンドカバーと第二のエンドカバーとを取り付けて、現像ローラを回動可能に取り付ける現像ローラ取り付け工程と、
（ｉ）固定ピンを取り付けることによって、現像フレームに第一のエンドカバーを回動可能に結合する支持フレーム取り付け工程と、
（ｊ）ドラムフレームと現像フレームまたは現像剤フレームとを長手方向一端側で、第一のカバーによって位置決め固定する第一のフレーム結合工程と、
（ｋ）ドラムフレームと、現像フレームまたは現像剤フレームとを、長手方向他端側で第二のカバー部材によって位置決め固定する第二のフレーム結合工程と、
を有することを特徴とするプロセスカートリッジの再生産方法。
【請求項３】
更に、現像ローラ取り外し工程の後に、
（ａ）現像ローラの現像剤を規制する為の現像ブレードの長手方向一端に取り付けられているビスを取り外すことによって、現像ブレードの長手方向一端、および、現像ブレードの長手方向一端に取り付けられているトナー規制部材を支持フレームから取り外し、また、現像ブレードの長手方向他端に取り付けられているビスを取り外すことによって、現像ブレードの長手方向他端、および、現像ブレードの長手方向他端に取り付けられているトナー規制部材を支持フレームから取り外す現像ブレード、トナー規制部材取り外し工程と、
（ｂ）現像剤再充填工程は、現像ローラ、現像ブレード、および、トナー規制部材を支持フレームから取り外すことによって露出した現像剤供給開口から現像剤Ｔを現像剤収納部内へ再充填し、
（ｃ）支持フレームに対して現像ブレードを位置決めする現像ブレード位置決め工程と、
（ｄ）支持フレームに対して位置決めされた現像ブレードの長手方向の一端にトナー規制部材を位置決めする、また、現像ブレードの長手方向の他端にトナー規制部材を位置決めするトナー規制部材位置決め工程と、
（ｅ）現像ブレードの長手方向の一端をトナー規制部材と共に支持フレームにビス留めする、また、現像ブレードの長手方向の他端をトナー規制部材と共に支持フレームにビス留めする現像ブレード、トナー規制部材取り付け工程と、
を有する請求項２に記載のプロセスカートリッジ再生産方法。
【請求項４】
更に、現像ローラ取り外し工程の後に、
（ａ）支持フレームを現像フレームまたは現像剤フレームから取り外す支持フレーム取り外し工程と、
（ｂ）現像剤再充填工程は、支持フレームを現像フレームまたは現像剤フレームから取り外すことによって露出した現像剤供給開口から現像剤Ｔを現像剤収納部内へ再充填し、
（ｃ）現像フレームまたは現像剤フレームに支持フレームを仮位置決めして設置する工程と、
を有する請求項２又は請求項３に記載のプロセスカートリッジの再生産方法。
【請求項５】
更に、現像剤再充填工程の後に、現像剤供給開口に現像剤シール部材を施す工程を有する請求項２乃至請求項４の何れかに記載のプロセスカートリッジ再生産方法。
【請求項６】
プロセスカートリッジの再生産方法において、
電子写真感光体ドラムと、
電子写真感光体ドラムに帯電を行うための帯電ローラと
電子写真感光体ドラムに残留する現像剤Ｔを除去するためのクリーニングブレードと、
電子写真感光体ドラムと帯電ローラおよびクリーニングブレードを支持するドラムフレームと、
電子写真感光体ドラムに形成された静電潜像を現像剤Ｔを用いて現像する為の現像ローラと、
現像ローラを回転可能に支持する第一のエンドカバーと第二のエンドカバーとを取り付けるための支持フレームと、
支持フレームを移動可能に保持する現像フレームと、
第一のエンドカバーを現像フレームに回動可能に固定する為の固定ピンと、
現像フレームと結合され、現像剤Ｔを収納する現像剤収納部を有する現像剤フレームと、
ドラムフレームと、現像フレームまたは現像剤フレームとを長手方向一端側で位置決め固定する第一のカバー部材と、
フレームの長手方向他端側で位置決め固定する第二のカバー部材と、
を有し、電子写真画像形成装置本体に着脱可能なプロセスカートリッジの再生産方法であって、
（ａ）プロセスカートリッジの長手方向一端側で、第一のカバー部材をドラムフレームと、現像フレームまたは現像剤フレームから取り外す第一のカバー取り外し工程と、
（ｂ）長手方向の他端側で、第二のカバー部材を取り外す第二のカバー取り外し工程と、
（ｃ）現像フレームまたは現像剤フレームとドラムフレームとを分離するフレーム分離工程と、
（ｄ）少なくともドラムフレームの長手方向の一端に設けられている、電子写真感光体ドラムの一端を支持している軸をドラムフレームから取り外す軸取り外し工程と、
（ｅ）電子写真感光体ドラムをドラムフレームからずらし、ドラムフレームから電子写真感光体ドラムを取り出すドラム取り出し工程と、
（ｆ）電子写真感光体ドラムを取り外した後に、クリーニングブレードによって電子写真感光体ドラムから除去した現像剤Ｔが収納されている除去現像剤収納部から、収納している現像剤Ｔを除去する現像剤除去工程と、
（ｇ）新品の電子写真感光体ドラムをその長手方向と交差する方向からドラムフレーム内へ進入させるドラム進入工程と、ここで、電子写真感光体ドラムは、ドラムフレーム内に進入する際に、その一端に設けられている軸部がドラムフレームの軸受け部に進入する、
（ｈ）新品の電子写真感光体ドラムの他端を支持するように、軸をドラムフレームの長手方向の一端に取り付けるドラム取り付け工程と、
（ｉ）ドラムフレームと現像フレームまたは現像剤フレームとを長手方向一端側で、第一のカバー部材によって位置決め固定する第一のフレーム結合工程と、
（ｊ）ドラムフレームと、現像フレームまたは現像剤フレームとを、長手方向他端側で第二のカバー部材によって位置決め固定する第二のフレーム結合工程と、
を有することを特徴とするプロセスカートリッジの再生産方法。
【請求項７】
更に、
（ａ）ドラムフレームの長手方向の一端に設けられている、電子写真感光体ドラムの一端に設けられている軸部を支持している軸受け部をドラムフレームから取り外し軸受け部取り外し工程と、
（ｂ）ドラム取り付け工程においては、新品の電子写真感光体ドラムの一端に設けられている軸部を支持するように軸受け部をドラムフレームの長手方向の一端に取り付ける軸受け部取り付け工程と、
を有する請求項６に記載のプロセスカートリッジの再生産方法。
【請求項８】
更に、クリーニングブレードをドラムフレームから取り外すクリーニングブレード取り外し工程を有する請求項６乃至請求項８の何れか１つに記載のプロセスカートリッジの再生産方法。
【請求項９】
更に、現像剤除去工程は、クリーニングブレードを取り外した後に、クリーニングブレードによって電子写真感光体ドラムから除去した現像剤が収納されている除去現像剤収納部から、収納している現像剤を除去する請求項９に記載のプロセスカートリッジの再生産方法。
【請求項１０】
第二のカバー部材と、現像フレームまたは現像剤フレームは、第二のカバー部材および現像フレームまたは現像剤フレームに設けられた樹脂接合部に溶融樹脂を注入することによって結合されており、
前記第二のフレーム結合工程は、
（ａ）第一の圧入部と第二の圧入部を有する結合部材の第一の圧入部を前記第二のカバー部材の樹脂接合部に圧入固定する工程と、
（ｂ）結合部材の第二の圧入部を前記現像フレームまたは現像剤フレームの樹脂接合部に圧入固定する工程と、
を有する請求項１に記載のプロセスカートリッジの再生産方法。
【請求項１１】
更に、プロセスカートリッジに関する情報を記憶しているメモリタグがプロセスカートリッジに設置されている場合には、必要に応じてメモリタグを交換する請求項１乃至請求項１０の何れか一つに記載のプロセスカートリッジの再生産方法。
【請求項１２】
プロセスカートリッジの再生産方法において、
電子写真感光体ドラムと、
電子写真感光体ドラムに帯電を行うための帯電ローラと、
電子写真感光体ドラムに残留する現像剤を除去するためのクリーニングブレードと、
電子写真感光体ドラムと帯電ローラおよびクリーニングブレードを支持するドラムフレームと、
電子写真感光体ドラムに形成された静電潜像を現像剤Ｔを用いて現像する為の現像ローラと、
現像ローラを回転可能に支持する第一のエンドカバーと第二のエンドカバーとを取り付けるための支持フレームと、
支持フレームを移動可能に支持する現像フレームと、
第一のエンドカバーを現像フレームに回動可能に固定する為の固定ピンと、
現像フレームと結合され、現像剤Ｔを収納する現像剤収納部を有する現像剤フレームと、
ドラムフレームと、現像フレームまたは現像剤フレームとを長手方向一端側で位置決め固定する第一のカバー部材と、
フレームの長手方向他端側で位置決め固定する第二のカバー部材と、
を有し、電子写真画像形成装置本体２００に着脱可能なプロセスカートリッジの再生産方法において、
（ａ）プロセスカートリッジの長手方向一端側で、第一のカバー部材をドラムフレームと、現像フレームまたは現像剤フレームから取り外す第一のカバー取り外し工程と、
（ｂ）長手方向の他端側で、第二のカバー部材を取り外す第二のカバー取り外し工程と、
（ｃ）現像フレームまたは現像剤フレームとドラムフレームとを分離するフレーム分離工程と、
（ｄ）少なくともドラムフレームの長手方向の一端に設けられている、電子写真感光体ドラムの一端を支持している軸をドラムフレームから取り外す軸取り外し工程と、
（ｅ）ドラムフレームから電子写真感光体ドラムを取り出すドラム取り出し工程と、
（ｆ）クリーニングブレードの電子写真感光体ドラムに対向する面に配置されたドラムフレームのリブを、除去する工程と、
（ｇ）リブ除去後、クリーニングブレードをドラムフレームから取り外す工程と、
（ｈ）電子写真感光体ドラムを取り外した後に、クリーニングブレードによって電子写真感光体ドラムから除去した現像剤が収納されている除去現像剤収納部から、収納している現像剤を除去する現像剤除去工程と、
（ｉ）クリーニングブレードをドラムフレーム間をシールする工程と、
（ｊ）クリーニングブレードとドラムフレームに取り付ける工程と、
（ｋ）新品の電子写真感光体ドラムをその長手方向と交差する方向からドラムフレーム内へ進入させるドラム進入工程と、ここで、電子写真感光体ドラムは、ドラムフレーム内に進入する際に、その一端に設けられている軸部がドラムフレームの軸受け部に進入する。
（ｌ）新品の電子写真感光体ドラムの他端を支持するように、軸をドラムフレームの長手方向の一端に取り付けるドラム取り付け工程と、
（ｍ）ドラムフレームと現像フレームまたは現像剤フレームとを長手方向一端側で、第一のカバー部材によって位置決め固定する第一のフレーム結合工程と、
（ｎ）ドラムフレームと、現像フレームまたは現像剤フレームとを、長手方向他端側で第二のカバー部材によって位置決め固定する第二のフレーム結合工程と、
を有することを特徴とするプロセスカートリッジの再生産方法。
【請求項１３】
更に、
（ａ）ドラムフレームの長手方向の一端に設けられている、電子写真感光体ドラムの一端に設けられている軸部１を支持している軸受け部をドラムフレームから取り外す軸受け部取り外し工程と、
（ｂ）ドラム取り付け工程においては、新品の電子写真感光体ドラムの一端に設けられている軸部を支持するように軸受け部をドラムフレームの長手方向の一端に取り付ける軸受け部取り付け工程と、
を有する請求項１２に記載のプロセスカートリッジの再生産方法。
【請求項１４】
クリーニングブレード１４とドラムフレーム１３間のシールは、流動性材料を注入することで行う請求項１２又は請求項１３に記載のプロセスカートリッジの再生産方法。
【請求項１５】
クリーニングブレードとドラムフレーム間のシールは、粘着テープを貼り付けることで行う請求項１２又は請求項１３に記載のプロセスカートリッジの再生産方法。
【請求項１６】
クリーニングブレードとドラムフレーム間のシールは、スポンジ部材をクリーニングブレードとドラムフレーム間に配置することで行う請求項１２又は請求項１３に記載のプロセスカートリッジの再生産方法。
【請求項１７】
クリーニングブレードとドラムフレーム間のシールは、長手方向両端部においては流動性部材を注入することで行う請求項１２乃至請求項１６の何れか一つに記載のプロセスカートリッジの再生産方法。